(57)【特許請求の範囲】
【請求項１】
造営面に埋設固定されたスイッチボックスに取り付けるための取付手段を有し、プラグに設けられた複数の栓刃がそれぞれ挿入される複数の栓刃挿入口を具備したプラグ接続部が前面に設けられた合成樹脂製のコンセントカバーと、コンセントカバーの背面側に取り付けられ、外部からの電線が接続される複数の接続端子、及び、各栓刃挿入口から挿入される栓刃に電気的且つ機械的に夫々結合されると共に各接続端子に電気的に夫々接続される複数の刃受ばね体を内部に収納する合成樹脂製のボディと、少なくとも栓刃挿入口の形成されたコンセントカバーの部位を露出させる窓孔を有しコンセントカバーの前面に着脱自在に被着される化粧プレートと、少なくとも１組の接続端子と刃受ばね体との間に電気的に接続される接点機構とを具備し、接点機構の切換操作を行うための操作ハンドルをコンセントカバーに揺動自在に設けるとともに、操作ハンドルに設けた被係止部と係止して操作ハンドルを仮保持する仮保持手段をコンセントカバーに設けたことを特徴とするコンセント装置。
【請求項２】
栓刃挿入口の形状が、定格電流が１３Ａで定格電圧が２５０Ｖのプラグの栓刃に対応した形状であることを特徴とする請求項１記載のコンセント装置。
【請求項３】
栓刃挿入口の形状が、定格電流が１５Ａで定格電圧が２５０Ｖのプラグの栓刃に対応した形状であることを特徴とする請求項１記載のコンセント装置。
【請求項４】
コンセントカバーにプラグ接続部を複数設け、コンセントカバーの背面における各プラグ接続部に対応する部位に、上記複数の接続端子及び上記複数の刃受ばね体を内部に収納するボディを夫々設けたことを特徴とする請求項２記載のコンセント装置。
【請求項５】
各プラグ接続部毎に少なくとも１組の接続端子と刃受ばね体との間に電気的に接続される接点機構をそれぞれ設け、各接点機構の切換操作を行うための複数の操作ハンドルをコンセントカバーに揺動自在に設けたことを特徴とする請求項４記載のコンセント装置。
【請求項６】
操作ハンドルに設けた軸を枢支する軸受部をコンセントカバーに設け、軸及び軸受部の対向面をそれぞれ曲面形状としたことを特徴とする請求項１又は５記載のコンセント装置。
【請求項７】
コンセントカバーの前面に対向する化粧プレートの面にコンセントカバー側に突出する係止片を突設すると共に、係止片に対応するコンセントカバーの部位に係止片と係止離脱自在に係止する被係止凹部を設けたことを特徴とする請求項１乃至３の何れか１つに記載のコンセント装置。
【請求項８】
複数の刃受ばね体の内、少なくとも一対の刃受ばね体を、導電性材料から形成され刃受ばねを有する刃受ばね部と、導電性材料から刃受ばね部と別体に形成され接続端子に電気的に接続されると共に刃受ばね部に電気的に接続される端子部とでそれぞれ構成し、各端子部の形状を同一の形状としたことを特徴とする請求項１乃至３の何れか１つに記載のコンセント装置。
【請求項９】
プラグ接続部は少なくとも一対の栓刃挿入口を有し、一対の栓刃挿入口を開閉自在に遮蔽する扉部及び少なくとも一方の栓刃挿入口を露出させる開口が設けられ前記一対の栓刃挿入口の配列方向に沿ってスライド自在に移動する扉体と、扉体を一対の栓刃挿入口を遮蔽する方向に付勢する付勢手段とをコンセントカバー及びボディの内部に収納し、扉部によって一対の栓刃挿入口が遮蔽される位置に扉体が移動した状態で、各栓刃挿入口に臨む扉体の部位に付勢手段による付勢方向と反対方向に行くに従って栓刃挿入口側への突出量が大きくなるように傾斜する傾斜面を設けると共に、ボディと対向する扉体の面における各栓刃挿入口の中間位置にボディ側に突出する突起を設け、扉体が前記突起を支点として傾斜した際に扉体に設けた規制リブと係止する凹所をコンセントカバーの背面に設けたことを特徴とする請求項３記載のコンセント装置。
【請求項１０】
直列接続されたパイロットランプ及び抵抗の直列回路からなる点灯表示部を有し、複数の刃受ばね体の内、電源側の一対の刃受ばね体に、前記点灯表示部の両端のリードがかしめ固定される二股のかしめ片をそれぞれ突設したことを特徴とする請求項１又は５記載のコンセント装置。
【発明の詳細な説明】
【０００１】
【発明の属する技術分野】
本発明は、壁面などの造営面に埋込配設されるコンセント装置に関するものである。
【０００２】
【従来の技術】
この種のコンセント装置としては、図１８に示すように、接地極付きの３極のプラグに設けられた３本の栓刃がそれぞれ挿入される３個の栓刃挿入口８１が前面に開口し、各栓刃挿入口８１から挿入される栓刃に電気的且つ機械的に結合される複数の刃受ばねを内部に収納した器体８０を備えたものがあった。
【０００３】
このコンセント装置は、壁面等の造営面に埋め込んで使用されるものであり、例えば壁面のような取付面に凹設された取付穴内に、一面開口した箱状の埋込ボックスを埋設固定し、この埋込ボックスに設けられたねじ孔に、器体８０のねじ挿通孔８２に挿通された固定ねじを螺合することにより、コンセント装置の器体８０が配設されるのである。
【０００４】
【発明が解決しようとする課題】
上記構成のコンセント装置では、器体８０を埋込ボックスに配設した状態で、器体８０の前面が室内側に露出しているので、例えば取付場所の雰囲気に合わせた色の器体８０を取り付けたい場合は、刃受ばね等の部品を内部に収納した器体８０ごと取り替えなければならなかった。
【０００５】
本発明は上記問題点に鑑みて為されたものであり、その目的とするところは、取付場所の雰囲気や仕様に容易に対応できるコンセント装置を提供することにある。
【０００６】
【課題を解決するための手段】
上記目的を達成するために、請求項１の発明では、造営面に埋設固定されたスイッチボックスに取り付けるための取付手段を有し、プラグに設けられた複数の栓刃がそれぞれ挿入される複数の栓刃挿入口を具備したプラグ接続部が前面に設けられた合成樹脂製のコンセントカバーと、コンセントカバーの背面側に取り付けられ、外部からの電線が接続される複数の接続端子、及び、各栓刃挿入口から挿入される栓刃に電気的且つ機械的に夫々結合されると共に各接続端子に電気的に夫々接続される複数の刃受ばね体を内部に収納する合成樹脂製のボディと、少なくとも栓刃挿入口の形成されたコンセントカバーの部位を露出させる窓孔を有しコンセントカバーの前面に着脱自在に被着される化粧プレートと、少なくとも１組の接続端子と刃受ばね体との間に電気的に接続される接点機構とを具備し、接点機構の切換操作を行うための操作ハンドルをコンセントカバーに揺動自在に設けるとともに、操作ハンドルに設けた被係止部と係止して操作ハンドルを仮保持する仮保持手段をコンセントカバーに設けたことを特徴とする。この発明によれば、コンセントカバーの背面側に、複数の接続端子及び複数の刃受ばね体を収納するボディが取り付けられており、コンセントカバーにはスイッチボックスに取り付けるための取付手段が設けられているので、コンセント装置をスイッチボックスに取り付けるために用いる取付枠が不要になり、且つ、コンセントカバーの前面に被着される化粧プレートはコンセントカバーと別体に形成されており、コンセントカバーに着脱自在に取り付けられるので、化粧プレートを交換することによって取付場所の雰囲気や仕様に合わせた化粧プレートを用いることができ、容易に対応できる。しかも、操作ハンドルの切換操作に応じて接点機構の接点状態が反転し、接続端子と刃受ばね体との間の電気的接続がオン／オフされるので、負荷への給電をオン／オフすることができ、且つ、操作ハンドルの被係止部とコンセントカバーの仮保持手段とを係止させることにより、操作ハンドルがコンセントカバーに仮保持されるので、コンセントカバー及びボディの内部に操作ハンドルを組み込む作業を容易に行える。
【０００７】
請求項２の発明では、請求項１の発明において、栓刃挿入口の形状が、定格電流が１３Ａで定格電圧が２５０Ｖのプラグの栓刃に対応した形状であることを特徴とし、請求項１の発明と同様の作用を奏する。
【０００８】
請求項３の発明では、請求項１の発明において、栓刃挿入口の形状が、定格電流が１５Ａで定格電圧が２５０Ｖのプラグの栓刃に対応した形状であることを特徴とし、請求項１の発明と同様の作用を奏する。
【０００９】
請求項４の発明では、請求項２の発明において、コンセントカバーにプラグ接続部を複数設け、コンセントカバーの背面における各プラグ接続部に対応する部位に、上記複数の接続端子及び上記複数の刃受ばね体を内部に収納するボディを夫々設けたことを特徴とし、コンセントカバーに複数のプラグ接続部を設けているので、１つのコンセント装置に複数のプラグを接続することができる。
【００１０】
請求項５の発明では、請求項４の発明において、各プラグ接続部毎に少なくとも１組の接続端子と刃受ばね体との間に電気的に接続される接点機構をそれぞれ設け、各接点機構の切換操作を行うための複数の操作ハンドルをコンセントカバーに揺動自在に設けたことを特徴とし、各操作ハンドルの切換操作に応じて各接点機構の接点状態が反転し、対応する接続端子と刃受ばね体との間の電気的接続がオン／オフされるので、各プラグ接続部毎に負荷への給電をオン／オフすることができる。
【００１１】
請求項６の発明では、請求項１又は５の発明において、操作ハンドルに設けた軸を枢支する軸受部をコンセントカバーに設け、軸及び軸受部の対向面をそれぞれ曲面形状としたことを特徴とし、操作ハンドルの軸とコンセントカバーの軸受部とが面接触しているので、操作ハンドルの揺動を安定して行わせることができる。
【００１２】
請求項７の発明では、請求項１乃至３の何れか１つの発明において、コンセントカバーの前面に対向する化粧プレートの面にコンセントカバー側に突出する係止片を突設すると共に、係止片に対応するコンセントカバーの部位に係止片と係止離脱自在に係止する被係止凹部を設けたことを特徴とし、化粧プレートに設けた係止片とコンセントカバーに設けた被係止凹部とを係止離脱自在に係止させることにより、化粧プレートの着脱作業を容易に行うことができる。
【００１３】
請求項８の発明では、請求項１乃至３の何れか１つの発明において、複数の刃受ばね体の内、少なくとも一対の刃受ばね体を、導電性材料から形成され刃受ばねを有する刃受ばね部と、導電性材料から刃受ばね部と別体に形成され接続端子に電気的に接続されると共に刃受ばね部に電気的に接続される端子部とでそれぞれ構成し、各端子部の形状を同一の形状としたことを特徴とし、複数の刃受ばね体で端子部を共用しているので、部品点数を削減できコストダウンを図ることができる。
【００１４】
請求項９の発明では、請求項３の発明において、プラグ接続部は少なくとも一対の栓刃挿入口を有し、一対の栓刃挿入口を開閉自在に遮蔽する扉部及び少なくとも一方の栓刃挿入口を露出させる開口が設けられ前記一対の栓刃挿入口の配列方向に沿ってスライド自在に移動する扉体と、扉体を一対の栓刃挿入口を遮蔽する方向に付勢する付勢手段とをコンセントカバー及びボディの内部に収納し、扉部によって一対の栓刃挿入口が遮蔽される位置に扉体が移動した状態で、各栓刃挿入口に臨む扉体の部位に付勢手段による付勢方向と反対方向に行くに従って栓刃挿入口側への突出量が大きくなるように傾斜する傾斜面を設けると共に、ボディと対向する扉体の面における各栓刃挿入口の中間位置にボディ側に突出する突起を設けたことを特徴とし、栓刃が接続されていない状態では、扉体は付勢手段の付勢力によって扉部が一対の栓刃挿入口を遮蔽する位置まで移動するので、感電などの事故が発生するのを防止できる。また、一対の栓刃挿入口の内の一方のみに栓刃を挿入しようとすると、栓刃によって扉体の傾斜面が押圧され、扉体が突起を支点として傾斜するので、扉体に設けた規制リブとコンセントカバーの凹所とが係止して扉体が移動するのを防止して、誤接続を防ぐことができ、且つ、一対の栓刃挿入口に栓刃を挿入すると、一対の栓刃によって扉体の傾斜面が均等に押圧されるから、扉体が突起を支点にして傾斜することはなく、扉体が付勢手段の付勢力に抗して一対の栓刃挿入口を露出させる位置に移動するので、開口を介して栓刃挿入口に栓刃を接続することができる。
【００１５】
請求項１０の発明では、請求項１又は５の発明において、直列接続されたパイロットランプ及び抵抗の直列回路からなる点灯表示部を有し、複数の刃受ばね体の内、電源側の一対の刃受ばね体に、前記点灯表示部の両端のリードがかしめ固定される二股のかしめ片をそれぞれ突設したことを特徴とし、二股のかしめ片に点灯表示部の両端のリードを差し込んで、かしめ片をかしめることにより、一対の刃受ばね体の間に点灯表示部を電気的に接続することができ、接点機構の接点状態に応じてパイロットランプが点灯又は消灯するから、点灯表示部の点灯状態に応じて接点機構の接点状態を容易に判別できる。
【００１６】
【発明の実施の形態】
本発明の実施の形態を図面を参照して説明する。
【００１７】
（基本構成１）
図１乃至図６を参照して本発明の基本構成１について説明する。このコンセント装置Ａは英国工業規格（ＢＳ）に準拠した３ピンの接地極付きコンセント装置であり、コンセント装置Ａの器体１は、ボディ２とコンセントカバー３とをねじ（図示せず）で結合することにより構成される。
【００１８】
コンセントカバー３のカバー本体３０は、絶縁性を有する合成樹脂から前面が略正方形状に形成されている。カバー本体３０の前面における図１中手前側には前方に突出するＴ字状の突台部３１が左側に寄せて形成されており、カバー本体３０の前面における図１中奥側にはカバー本体３０を貫通する矩形孔状の貫通孔３２が右側に寄せて穿孔されている。また、突台部３１にはプラグの栓刃（図示せず）が挿入される３個の栓刃挿入口３５ａ〜３５ｃが開口してある。ところで、このコンセント装置Ａは定格電圧が２５０Ｖ、定格電流が１３Ａの接地極付きコンセント装置であり、各栓刃挿入口３５ａ〜３５ｃの形状は略矩形状となっている。３個の栓刃挿入口３５ａ〜３５ｃの内、Ｎ極及びＬ極の栓刃がそれぞれ挿入される栓刃挿入口３５ａ，３５ｂは、Ｔ字状の突台部３１の横棒部分に長手方向が同一直線上となるように設けられ、接地極の栓刃が挿入される栓刃挿入口３５ｃは、Ｔ字状の突台部３１の縦棒部分に、長手方向が栓刃挿入口３５ａ，３５ｂの中点を通り両挿入口３５ａ，３５ｂの配列方向と略直交するようにして設けられている。また、カバー本体３０の左右両側部の略中央には、コンセントカバー３を造営面に埋設固定された埋込ボックスに取り付けるための取付ねじ（図示せず）が挿通されるねじ挿通孔３４ａ，３４ｂが穿設されている。ここに、一方のねじ挿通孔３４ａは長孔となっているので、コンセントカバー３の取付位置を調整することができる。ここに、ねじ挿通孔３４ａ，３４ｂから、コンセントカバー３を造営面に埋設固定されたスイッチボックスに取り付けるための取付手段が構成される。
【００１９】
また、ボディ２は絶縁性を有する合成樹脂から前面が開口した略箱状に形成される。ボディ２の内部は隔壁によって仕切られており、コンセントカバー３に設けた栓刃挿入口３５ａ〜３５ｃを介して挿入される栓刃にそれぞれ電気的且つ機械的に結合される刃受ばね体５ａ〜５ｃがそれぞれ収納される刃受ばね収納部２１ａ〜２１ｃと、各刃受ばね体５ａ〜５ｃに電気的に接続されると共に外部からの電線が接続される３個の接続端子６をそれぞれ収納する接続端子収納部２２ａ〜２２ｃとが設けてある。
【００２０】
コンセントカバー３の前面にはコンセントカバー３を覆うようにして化粧プレート４が被着される。化粧プレート４は絶縁性を有する合成樹脂から形成され、略正方形状の主部４１と、主部４１の四周側縁から背面側に連続一体に延設された側部４２とで構成される。コンセントカバー３の突台部３１に対応する主部４１の部位には、突台部３１を前面側に露出させる略Ｔ字状の窓孔４３が穿設され、コンセントカバー３の貫通孔３２に対応する主部４１の部位には貫通孔３２に連通する略矩形状の貫通孔４４が穿設されている。なお、化粧プレート４の貫通孔４４は、コンセントカバー３の貫通孔３２に取り付けられたブランクカバー８によって塞がれる。ここで、ブランクカバー８の短幅方向において対向する両側面には、貫通孔３２の端面に形成された溝３８内に挿入される突起８ａが突設され、長手方向において対向する両側面には側方に突出する突条８ｂが突設されており、ブランクカバー８をコンセントカバー３の背面側から貫通孔３２内に挿入すると、突起８ａが溝３８と係止すると共に、突条８ｂが貫通孔３２の端縁と係止して、ブランクカバー８がコンセントカバー３に固定される。
【００２１】
ところで、カバー本体３０の四隅には、化粧プレート４の主部４１背面から突設した係止片４５が係止離脱自在に係止する化粧プレート係止孔（被係止凹部）３３を設けてあり、これらの化粧プレート係止孔３３に係止片４５を挿入し、係止片４５の先端に突設された爪４６を化粧プレート係止孔３３の端縁と係止させることでコンセントカバー３の前面側に化粧プレート４を着脱自在に取り付けることができるようになっている（図３参照）。
【００２２】
また、化粧プレート４をコンセントカバー３から取り外す際は、化粧プレート４とコンセントカバー３との間の隙間に治具（例えばマイナスドライバの先端等）を差し込んで化粧プレート４に前面側への力を加えることにより、化粧プレート４の係止片４５とカバー本体３０の化粧プレート係止孔３３との係止を解除し、化粧プレート４をコンセントカバー３から取り外すことができるようにしてある。なお、コンセントカバー３の一方の側壁３ａには他の部位よりも内側へ窪んだ逃がし部３６が設けてあり、化粧プレート４とコンセントカバー３との間に差し込まれた治具を逃がすことで奥まで治具を挿入でき、化粧プレート４を取り外す際に力を加え易くしてある。さらに、逃がし部３６の背面側端部からは薄肉のリブ３７が延設してある。すなわち、化粧プレート４とコンセントカバー３との間に差し込んだ治具に造営面に当接する部分を支点として力を加えることで造営面に傷が付く虞があるが、リブ３７を設けることで治具がリブ３７に当接することになり、化粧プレート４をコンセントカバー３から取り外す際に治具によって造営面に傷が付くのを防ぐことができる。
【００２３】
このように、化粧プレート４はコンセントカバー３と別体に形成され、コンセントカバー３に着脱自在に取り付けられるので、施工場所の雰囲気、仕様や他の配線器具に合わせた色の化粧プレートを使用したり、図５（ａ）（ｂ）に示すような金属プレート４’を使用することができる。この金属プレート４’は、絶縁性を有する合成樹脂から形成されたプレート本体４０と、プレート本体４０の前面に被着される金属プレート４７とで構成される。金属プレート４７は略矩形状の板金の両側縁を背面側に折曲して、断面略Ｃ字状に形成されており、プレート本体４０に穿孔された窓孔４３及び貫通孔４４に対応する部位には、それぞれ、窓孔４７ａ及び貫通孔４７ｂが穿設されている。一方、プレート本体４０は上述した化粧プレート４と略同様の形状を有し、前面及び上下両側面には金属プレート４７と嵌合される溝４０ａが形成されており、金属プレート４７がプレート本体４０の前面に圧入或いは接着により取り付けられる。
【００２４】
ここで、コンセントカバー３の栓刃挿入口３５ａ，３５ｂは、ボディ２とコンセントカバー３との間にスライド自在に収められた開閉扉６０によって開閉自在に覆われる。開閉扉６０は、コンセントカバー３の背面における両栓刃挿入口３５ａ，３５ｂの間の部位に凹設された溝（図示せず）にスライド自在に収められ、栓刃挿入口３５ａ，３５ｂの配列方向と略直交する方向において前後動する直方体状のスライド部６１を有し、スライド部６１の栓刃挿入口３５ａ，３５ｂ側の端部の左右両側面には側方に突出して各栓刃挿入口３５ａ，３５ｂを覆う扉部６２，６２が突設されている。一方、ボディ２の前面における両栓刃挿入口３５ａ，３５ｂの間の部位には両栓刃挿入口３５ａ，３５ｂの配列方向と略直交する方向に走る溝２４が凹設されており、この溝２４内にコイルばね６４が収められている。ここで、コイルばね６４の一端は、溝２４における栓刃挿入口３５ａ，３５ｂと反対側の端面に当接すると共に、コイルばね６４の他端はスライド部６１の背面に突設された突起６３と係止しているので、開閉扉６０はコイルばね６４によって両栓刃挿入口３５ａ，３５ｂを塞ぐ方向に付勢されている。而して、プラグの栓刃が接続されていない状態では開閉扉６０は扉部６２，６２によって栓刃挿入口３５ａ，３５ｂが遮蔽される位置まで移動する。
【００２５】
また、各栓刃挿入口３５ａ，３５ｂに臨む扉部６２の部位には、スライド部６１のスライド方向においてコイルばね６４による付勢方向と反対方向に行くに従って栓刃挿入口３５ａ，３５ｂ側への突出量が大きくなるように傾斜する傾斜面６２ａが形成されている。而して、栓刃挿入口３５ａ，３５ｂにプラグの栓刃を挿入すると、栓刃の先端が扉部６２の傾斜面６２ａに当接し、そこからさらに栓刃を押し込むと、栓刃の先端によって傾斜面６２ａが押圧され、開閉扉６０がコイルばね６４のばね力に抗して栓刃挿入口３５ａ，３５ｂを塞ぐ位置から、栓刃挿入口３５ａ，３５ｂを露出させる位置に退避するので、プラグの栓刃を後述する刃受ばね５１ｂに電気的且つ機械的に接続させることができる。尚、プラグの栓刃を引き抜くと、コイルばね６４のばね復帰力によって開閉扉６０が栓刃挿入口３５ａ，３５ｂを露出させる位置から、栓刃挿入口３５ａ，３５ｂを塞ぐ位置に移動するので、栓刃が接続されていない状態では、Ｎ極及びＬ極の栓刃挿入口３５ａ，３５ｂが開閉扉６０の扉部６２，６２によってそれぞれ塞がれるため、感電などの事故が発生するのを防止できる。
【００２６】
次にボディ２内部に収納される刃受ばね体５ａ〜５ｃ及び接続端子６について簡単に説明する。Ｎ極及びＬ極の栓刃が電気的に接続される刃受ばね体５ａ，５ｂは、栓刃に電気的且つ機械的に接続される刃受ばね５１ｂが一端に形成された刃受ばね部５１と、刃受ばね部５１に一端がかしめ固定されると共に他端が接続端子６に差し込まれる端子部５２とで構成される。刃受ばね部５１は弾性を有する導電性材料（例えば黄銅など）から形成され、刃受ばね５１ｂが一端部に設けられるとともに、他端部に端子部５２がかしめ固定されるかしめ片５１ｃが形成されており、中央片５１ａをボディ２に形成された溝２３内に圧入することによってボディ２に固定される。また端子部５２は、高硬度で且つ高導電率の合金（例えばフルテック（古河電気工業株式会社の商品名）のような銅と錫との合金）から形成されており、一端部にはかしめ片５１ｃに結合される固定片５２ａが設けられ、他端部には後述する接続端子６に先端部が差し込まれる差込片５２ｂが設けられている。ここで、端子部５２は、固定片５２ａに突設された突起５２ｄをかしめ片５１ｃに穿設された一対の孔５１ｄに挿入し、突起５２ｄの先端部分を機械的に潰すことで刃受ばね部５１にかしめ固定される。また、接地極の栓刃が電気的に接続される刃受ばね体５ｃは導電性材料から形成され、一端には栓刃と電気的且つ機械的に接続される刃受ばね５３ａが設けられ、他端部には接続端子６に先端が差し込まれる差込片５３ｂが設けられている。
【００２７】
このようにＮ極及びＬ極の栓刃が接続される刃受ばね体５ａ，５ｂは刃受ばね部５１と端子部５２とで夫々構成されており、栓刃が電気的且つ機械的に接続される刃受ばね部５１は弾性の大きい高導電率の導電材料により形成され、接続端子６に螺合する端子ねじ７との間で電線を挟持する端子部５２は高硬度で高導電率の導電材料から形成されているので、各部材の用途に合わせた特性を有する材料を用いることができる。しかも、各刃受ばね体５ａ，５ｂを構成する端子部５２の形状は同一の形状に形成されているから、端子部５２を複数の刃受ばね体５ａ，５ｂで共用することができ、部品数を削減してコストダウンを図ることができる。
【００２８】
一方、接続端子６は、図４に示すように、一面にねじ孔７１ａが貫設された環状の端子枠７１を有し、端子枠７１のねじ孔７１ａに端子ねじ７を螺合させて、端子ねじ７の先端面と端子枠７１の内部に先端が挿入された各刃受ばね体５ａ〜５ｃの差込片５２ｂ，５３ｂとの間に電線を挟持することにより、電線を機械的に保持し、且つ電気的に接続するものである。なお、ねじ孔７１ａの周縁外周部には、カウンタシンク７１ｂがバーリング加工により形成され、端子枠７１と端子ねじ７との螺合量を大きくとるようにしている。
【００２９】
接続端子６の端子枠７１は、板金を断面矩形状に曲成し、板金の端部に形成された結合凸部７１ｃと結合凹部７１ｄとを噛合させ凹凸結合させることにより、端子枠７１が形成される。結合凸部７１ｃは略Ｔ字形に形成され、結合凹部７１ｄは結合凸部７１ｃに噛合可能な形状に形成される。
【００３０】
なお、端子枠７１を形成する板金の端部同士を突き合わせた突き合わせ面７１ｆにおいて、結合凸部７１ｃにおけるＴ字の縦片の両側面７１ｇの図４中上端部からは、各側面７１ｇに直交してそれぞれ図４中の左右に向かってつなぎ面７１ｈが延長され、各つなぎ面７１ｈの外端からはそれぞれ図４中下向きに噛合面７１ｉが延長される。さらに、各噛合面７１ｉの下端からはそれぞれ端子枠７１の開口面に向かって図４中下向きに傾斜した係止面７１ｊが延長される。つまり、係止面７１ｊは端子枠７１の開口面に向かって結合凸部７１ｃの先端側に近付くように傾斜している。また、結合凸部７１ｃの縦片の両側面７１ｇの図４中下端からは、それぞれ図４中の左右に向かって上向きに傾斜する噛合面７１ｋが形成される。
【００３１】
突き合わせ面７１ｆが上述の形状を有しているので、端子枠７１に端子ねじ７を締め付けたときに、端子ねじ７の軸線に沿って結合凸部７１ｃを結合凹部７１ｄから引き抜く向きの力が作用しても、噛合面７１ｉによって結合凸部７１ｃが結合凹部７１ｄから抜ける向きに移動するのを阻止することになる。また、このとき結合凹部７１ｄは結合凸部７１ｃからの力を受けるから、結合凹部７１ｄを口開きさせようとする応力Ｆが生じるが、係止面７１ｊがこの応力Ｆの向きに対して直角に近い角度で交差しているから、係止面７１ｊが応力Ｆを受け止めることになり、応力Ｆによる結合凹部７１ｄの口開きを阻止することができる。しかも、噛合面７１ｉは結合凹部７１ｄが左右に口開きするのを阻止する形に形成されているから、このことによっても結合凹部７１ｄの口開きが阻止される。
【００３２】
また、このコンセント装置Ａではコンセントカバー３に複数の栓刃挿入口３５ａ〜３５ｃが開口する突台部（プラグ接続部）３５を１つだけ設けているが、図６に示すように、コンセントカバー３に複数の栓刃挿入口３５ａ〜３５ｃが開口する突台部３１ａ，３１ｂを複数（図６では２組）設けるとともに、コンセントカバー３の背面における各突台部３１ａ，３１ｂに対応する部位に、複数の接続端子６及び複数の刃受ばね体５ａ〜５ｃを内部に収納するボディ２ａ，２ｂを夫々設けても良く、１つのコンセント装置Ａに複数のプラグを接続することができる。
【００３３】
（基本構成２）
図７乃至図９を参照して本発明の基本構成２について説明する。このコンセント装置Ａは、定格電圧が２５０Ｖ、定格電流が１５Ａの接地極付きコンセント装置である。尚、基本的な構成は上述の基本構成１と同様であるので、同一の構成要素には同一の符号を付してその説明を省略する。
【００３４】
ここで、図８（ｂ）（ｃ）に示すように、定格電圧が２５０Ｖで定格電流が１５Ａのプラグの栓刃１０１は断面略円形となっているので、コンセントカバー３の栓刃挿入口３５ａ〜３５ｃの形状は円形に形成され、各刃受ばね体５ａ〜５ｃの刃受ばね５１ｂ，５３ａの先端は略円弧状に形成されている。
【００３５】
また、３個の栓刃挿入口３５ａ〜３５ｃの内、Ｎ極及びＬ極がそれぞれ接続される栓刃挿入口３５ａ，３５ｂは、ボディ２とコンセントカバー３との間にスライド自在に収められた開閉扉６０’によって開閉自在に遮蔽される。開閉扉６０’は略矩形板状のスライド部６５を有し、スライド部６５の短幅方向における両側縁から背面側に向かって延設されたガイド片６５ａをボディ２に突設されたリブ２５と係止させることにより、栓刃挿入口３５ａ，３５ｂの配列方向において栓刃挿入口３５ａ，３５ｂを露出させる位置と遮蔽する位置との間でスライド自在となっている。
【００３６】
ここで、スライド部６５が栓刃挿入口３５ａ，３５ｂを遮蔽する位置に移動した状態で、各栓刃挿入口３５ａ，３５ｂに臨むスライド部６５の部位には栓刃挿入口３５ａ，３５ｂを遮蔽する扉部６６，６６が設けられ、各扉部６６，６６の表面には後述するコイルばね６４による付勢方向と反対方向に行くに従って各栓刃挿入口３５ａ，３５ｂ側への突出量が大きくなる傾斜面６６ａ，６６ａが形成されている。また、スライド部６５における両扉部６６，６６の間の部位には一方の栓刃挿入口３５ｂを露出させるための開口６７が穿設されている。ここで、図８（ａ）に示すように栓刃挿入口３５ａ側の扉部６６における開口６７側の端部には付勢手段たるコイルばね６４の一端と当接するリブ６６ｂが突設されている。コイルばね６４はコンセントカバー３の背面に凹設された溝部３ｄ内に挿入され、その他端は溝部３ｄの端面３ｂと当接しているので、開閉扉６０’はコイルばね６４によって図８（ａ）中左側に向かって付勢され、プラグの栓刃が接続されていない状態では開閉扉６０’は扉部６６，６６が栓刃挿入口３５ａ，３５ｂを遮蔽する位置まで移動する。
【００３７】
一方、栓刃挿入口３５ａ，３５ｂにそれぞれプラグの栓刃１０１，１０１を挿入すると、栓刃１０１の先端が扉部６６の傾斜面６６ａに当接する。そこからさらに栓刃１０１を押し込むと、栓刃１０１の先端によって傾斜面６６ａが押圧され、開閉扉６０’がコイルばね６４のばね力に抗して図８（ｃ）中右方向に移動し、栓刃挿入口３５ａ，３５ｂを塞ぐ位置から、栓刃挿入口３５ａ，３５ｂを露出させる位置に退避する。この時、スライド部６５に設けた開口６７を介して刃受ばね体５ｂの刃受ばね５１ｂが露出するので、プラグの栓刃１０１，１０１を各刃受ばね体５ａ，５ｂの刃受ばね５１ｂ，５１ｂに電気的且つ機械的に接続することができる。尚、プラグの栓刃１０１，１０１を引き抜くと、コイルばね６４のばね復帰力によって開閉扉６０’が栓刃挿入口３５ａ，３５ｂを露出させる位置から、栓刃挿入口３５ａ，３５ｂを塞ぐ位置に移動するので、栓刃１０１が接続されていない状態では、Ｎ極及びＬ極の栓刃挿入口３５ａ，３５ｂが開閉扉６０’の扉部６６，６６によってそれぞれ塞がれるため、感電などの事故が発生するのを防止できる。
【００３８】
ところで、図９（ａ）（ｂ）に示すようにスライド部６５が栓刃挿入口３５ａ，３５ｂを遮蔽する位置に移動した状態で、ボディ２と対向するスライド部６５の背面における各栓刃挿入口３５ａ，３５ｂの間の部位にはボディ２側に突出する支点突起６８が突設されており、この支点突起６８を支点としてスライド部６５が左下がり又は右下がりに傾斜した際に、コンセントカバー３の背面に設けた凹所３ｃとそれぞれ係止する規制リブ６６ｃがスライド部６５前面の四隅に突設されている。ここで、図９（ａ）に示すように、栓刃挿入口３５ａのみに栓刃１０１が挿入された場合、栓刃１０１の先端が栓刃挿入口３５ａ側の扉部６６に形成された傾斜面６６ａに当接して、スライド部６５が支点突起６８を支点にして図中左下がりに傾斜し、栓刃挿入口３５ｂ側に設けた凹所３ｃと規制リブ６６ｃとが係止するため、開閉扉６０’が図中右方向に移動することができず、開閉扉６０’によって栓刃挿入口３５ａ，３５ｂを遮蔽する状態を保持する。一方、図９（ｂ）に示すように、栓刃挿入口３５ｂのみに栓刃１０１が挿入された場合、栓刃１０１の先端が栓刃挿入口３５ｂ側の扉部６６に形成された傾斜面６６ａに当接して、スライド部６５が支点突起６８を支点にして図中右下がりに傾斜し、栓刃挿入口３５ａ側に設けた凹所３ｃと規制リブ６６ｃとが係止するため、開閉扉６０’が図中右方向に移動することができず、開閉扉６０’によって栓刃挿入口３５ａ，３５ｂを遮蔽する状態を保持する。このように、栓刃挿入口３５ａ，３５ｂの内、何れか一方のみに栓刃１０１が挿入されるのを防止できるから、プラグの誤接続を防止することができる。
【００３９】
（実施形態）
図１０乃至図１７を参照して本発明の実施形態を説明する。尚、基本的な構成は基本構成１のコンセント装置Ａと同様であるので、同一の構成要素には同一の符号を付してその説明を省略する。
【００４０】
本実施形態では、基本構成１のコンセント装置Ａにおいて、Ｎ極及びＬ極の栓刃が接続される刃受ばね体５ａ，５ｂと接続端子６，６との間にそれぞれ電気的に接続され、刃受ばね体５ａ，５ｂと接続端子６，６との間の電気的接続をオン／オフする接点機構５４と、接点機構５４の開閉操作を行うための操作ハンドル１０とを設けている。
【００４１】
刃受ばね体５ａ，５ｂは、栓刃に電気的且つ機械的に接続される刃受ばね５１ｂが一端に形成された刃受ばね部５１と、接続端子６に電気的に接続される端子部５２とで構成され、本実施形態では刃受ばね部５１と端子部５２とを分離している。
【００４２】
刃受ばね部５１は弾性を有する導電性材料（例えば黄銅など）から形成され、刃受ばね５１ｂが一端部に設けられるとともに、他端部に固定接点５１ｆを具備する接点片５１ｅが突設されており、中央片５１ａをボディ２に形成された溝２３内に圧入することによってボディ２に固定される。
【００４３】
端子部５２は、高硬度で且つ高導電率の合金（例えばフルテック（古河電気工業株式会社の商品名）のような銅と錫との合金）から形成され、一端部を曲成することによって断面山形の支点突起５２ｃが形成されており、他端部には接続端子６に先端部が差し込まれる差込片５２ｂが設けられている。
【００４４】
接点機構５４は、固定接点５１ｆと接離自在に接触する可動接点５５ａを有し、端子部５２の支点突起５２ｃを支点として揺動自在に設けられた一対の開閉体５５と、操作ハンドル１０に設けた筒部１０ｂ，１０ｂ内に突出方向に弾性付勢されて進退自在に収められ、操作ハンドル１０のシーソー動作に応じて各開閉体５５の表面を滑動することにより各開閉体５５を揺動させる一対の滑動子１２とで構成される。開閉体５５は導電性材料から短冊状に形成されており、一端に上述した可動接点５５ａが固着され、他端部の両側縁には側方に突出してボディ２に形成された溝（図示せず）内に挿入される突起５５ｂ，５５ｂが突設されている。而して、開閉体５５は、突起５５ｂ，５５ｂをボディ２の溝内に挿入した状態で端子部５２の支点突起５２ｃを支点として揺動自在にボディ２に配置される。
【００４５】
一方、操作ハンドル１０は絶縁性を有する合成樹脂により形成されており、コイルばね１１を介して滑動子１２をそれぞれ収める一対の筒部１０ｂが下面に突設されたハンドル本体１０ａと、ハンドル本体１０ａの一端部から延設されコンセントカバー３の貫通孔３２内に挿入されて化粧プレート４の貫通孔４４から露出する操作部１０ｃとで構成され、ハンドル本体１０ａ及び操作部１０ｃの側面に形成された軸１０ｄがコンセントカバー３に設けた軸受部３ｄに枢支されることによって、操作ハンドル１０はコンセントカバー３に揺動自在に取り付けられている。而して、操作部１０ｃの一端を押操作して操作ハンドル１０をシーソー動作させることにより、操作ハンドル１０の筒部１０ｂ内に収められた滑動子１２が開閉体５５の表面を滑動しながら開閉体５５を揺動させ、可動接点５５ａと固定接点５１ｆとを接触又は開離させるので、刃受ばね体５ａ，５ｂと接続端子６，６との間の電気的接続をオン／オフさせて、負荷への給電をオン／オフさせることができる。尚、図１１及び図１３に示すように軸１０ｄ及び軸受部３ｄの接触面はそれぞれ曲面形状となっているので、操作ハンドル１０が揺動する際に、軸１０ｄと軸受部３ｄとが常に面接触するから、操作ハンドル１０の反転動作が安定する。また、操作部１０ｃ表面の一端部には突部１０ｅが形成されているので、接点機構５４の接点状態（固定接点５１ｆと可動接点５５ａが接触しているか又は開離しているか）を外観上判断する目安となる。
【００４６】
ところで、操作ハンドル１０は操作部１０ｃをコンセントカバー３の背面側から貫通孔３２内に挿入した状態で、コンセントカバー３とボディ２との間で挟持されるのであるが、操作ハンドル１０はコンセントカバー３に固定されていないので、組立作業がやりにくいという問題がある。そこで、図１２乃至図１４に示すように、操作部１０ｃの側面に側方に突出する被係止突起（被係止部）１０ｆを突設するとともに、被係止突起１０ｆと係止して操作ハンドル１０を仮保持する仮保持突起（仮保持手段）３９を貫通孔３２の端面に突設してあり、操作ハンドル１０の操作部１０ｃをコンセントカバー３の背面側から貫通孔３２内に挿入すると、被係止突起１０ｆと仮保持突起３９とが係止することによって操作ハンドル１０がコンセントカバー３に仮保持されるため、コンセントカバー３に操作ハンドル１０を仮保持した状態でボディ２とコンセントカバー３とを結合することができ、組立作業を容易に行うことができる。尚、図１４（ｂ）に示すように、仮保持突起３９の上下面は中央部ほど貫通孔３２側への突出量が大きくなるような傾斜面となっており、操作ハンドル１０の操作部１０ｃを押操作すると、被係止突起１０ｆが仮保持突起３９の傾斜面に沿って移動し、仮保持突起３９を容易に乗り越えるから、仮保持突起３９と被係止突起１０ｆとが係止することによって操作ハンドル１０の反転操作が妨げられることはない。
【００４７】
また、本実施形態のコンセント装置Ａにおいて、図１５に示すように、接点機構５４の接点状態を点灯状態によって表示する点灯表示部５６を設けても良い。点灯表示部５６は電流制限用の抵抗Ｒ及びネオンランプ（パイロットランプ）Ｌａの直列回路からなり、ネオンランプＬａを操作ハンドル１０の操作部１０ｃに設けた透光窓１０ｇに対向配置している。また、抵抗ＲとネオンランプＬａとは一方のリード同士が互いに接続されており、抵抗Ｒ及びネオンランプＬａの他方のリード５６ａ，５６ｂをそれぞれ刃受ばね体５ａ，５ｂの接点片５１ｅに設けられた二股のかしめ片５１ｇに差し込んで、かしめ固定することにより、点灯表示部５６が刃受ばね体５ａ，５ｂに電気的に接続される。而して、操作ハンドル１０の操作により各刃受ばね体５ａ，５ｂの固定接点５１ｆと開閉体５５の可動接点５５ａとが接触し、刃受ばね体５ａ，５ｂがそれぞれ開閉体５５，５５を介して接続端子６，６に電気的に接続されると、ネオンランプＬａに電源が供給され、ネオンランプＬａが点灯する。一方、操作ハンドル１０の操作によって各刃受ばね体５ａ，５ｂの固定接点５１ｆと開閉体５５の可動接点５５ａとが開離すると、ネオンランプＬａに電源が供給されなくなり、ネオンランプＬａが消灯する。而して、ネオンランプＬａの点灯状態から接点機構５４の接点状態を容易に判別することができる。
【００４８】
なお、本実施形態ではコンセントカバー３に複数の栓刃挿入口３５ａ〜３５ｃが開口する突台部（プラグ接続部）３５を１つだけ設けているが、図１６に示すように、コンセントカバー３に複数の栓刃挿入口３５ａ〜３５ｃが開口する突台部３１ａ，３１ｂを複数（図１６では２組）設けるとともに、コンセントカバー３の背面における各突台部３１ａ，３１ｂに対応する部位に、複数の接続端子６と、複数の刃受ばね体５ａ〜５ｃと、刃受ばね体５ａ，５ｂ及び接続端子６，６の間に電気的に接続され両者間の電気的接続をオン／オフする接点機構５４と、接点機構５４の開閉操作を行うための操作ハンドル１０とを内部に収納するボディ２ａ，２ｂを夫々取り付けても良く、１つのコンセント装置Ａに複数のプラグを接続することができる。
【００４９】
また、本実施形態では、基本構成１で説明した定格電圧が２５０Ｖで定格電流が１３Ａのコンセント装置Ａにおいて、刃受ばね体５ａ，５ｂと接続端子６，６との間の電気的接続をオン／オフする接点機構５４と、接点機構５４の切換操作を行うための操作ハンドル１０とを設けているが、図１７に示すように、基本構成２で説明した定格電圧が２５０Ｖで定格電流が１５Ａのコンセント装置Ａにおいて、刃受ばね体５ａ，５ｂと接続端子６，６との間の電気的接続をオン／オフする接点機構５４と、接点機構５４の切換操作を行うための操作ハンドル１０とを設けても良く、操作ハンドル１０の操作に応じて負荷への給電をオン／オフすることができる。
【００５０】
【発明の効果】
上述のように、請求項１の発明は、造営面に埋設固定されたスイッチボックスに取り付けるための取付手段を有し、プラグに設けられた複数の栓刃がそれぞれ挿入される複数の栓刃挿入口を具備したプラグ接続部が前面に設けられた合成樹脂製のコンセントカバーと、コンセントカバーの背面側に取り付けられ、外部からの電線が接続される複数の接続端子、及び、各栓刃挿入口から挿入される栓刃に電気的且つ機械的に夫々結合されると共に各接続端子に電気的に夫々接続される複数の刃受ばね体を内部に収納する合成樹脂製のボディと、少なくとも栓刃挿入口の形成されたコンセントカバーの部位を露出させる窓孔を有しコンセントカバーの前面に着脱自在に被着される化粧プレートと、少なくとも１組の接続端子と刃受ばね体との間に電気的に接続される接点機構とを具備し、接点機構の切換操作を行うための操作ハンドルをコンセントカバーに揺動自在に設けるとともに、操作ハンドルに設けた被係止部と係止して操作ハンドルを仮保持する仮保持手段をコンセントカバーに設けたことを特徴とする。この発明によれば、コンセントカバーの背面側に、複数の接続端子及び複数の刃受ばね体を収納するボディが取り付けられており、コンセントカバーにはスイッチボックスに取り付けるための取付手段が設けられているので、コンセント装置をスイッチボックスに取り付けるために用いる取付枠が不要になり、且つ、コンセントカバーの前面に被着される化粧プレートはコンセントカバーと別体に形成されており、コンセントカバーに着脱自在に取り付けられるので、化粧プレートを交換することによって取付場所の雰囲気や仕様に合わせた化粧プレートを用いることができ、容易に対応できるという効果がある。しかも、操作ハンドルの切換操作に応じて接点機構の接点状態が反転し、接続端子と刃受ばね体との間の電気的接続がオン／オフされるので、負荷への給電をオン／オフすることができ、且つ、操作ハンドルの被係止部とコンセントカバーの仮保持手段とを係止させることにより、操作ハンドルがコンセントカバーに仮保持されるので、コンセントカバー及びボディの内部に操作ハンドルを組み込む作業を容易に行えるという効果もある。
【００５１】
請求項２の発明は、請求項１の発明において、栓刃挿入口の形状が、定格電流が１３Ａで定格電圧が２５０Ｖのプラグの栓刃に対応した形状であることを特徴とし、請求項１の発明と同様の効果を奏する。
【００５２】
請求項３の発明は、請求項１の発明において、栓刃挿入口の形状が、定格電流が１５Ａで定格電圧が２５０Ｖのプラグの栓刃に対応した形状であることを特徴とし、請求項１の発明と同様の効果を奏する。
【００５３】
請求項４の発明は、請求項２の発明において、コンセントカバーにプラグ接続部を複数設け、コンセントカバーの背面における各プラグ接続部に対応する部位に、上記複数の接続端子及び上記複数の刃受ばね体を内部に収納するボディを夫々設けたことを特徴とし、コンセントカバーに複数のプラグ接続部を設けているので、１つのコンセント装置に複数のプラグを接続できるという効果がある。
【００５４】
請求項５の発明は、請求項４の発明において、各プラグ接続部毎に少なくとも１組の接続端子と刃受ばね体との間に電気的に接続される接点機構をそれぞれ設け、各接点機構の切換操作を行うための複数の操作ハンドルをコンセントカバーに揺動自在に設けたことを特徴とし、各操作ハンドルの切換操作に応じて各接点機構の接点状態が反転し、対応する接続端子と刃受ばね体との間の電気的接続がオン／オフされるので、各プラグ接続部毎に負荷への給電をオン／オフできるという効果がある。
【００５５】
請求項６の発明は、請求項１又は５の発明において、操作ハンドルに設けた軸を枢支する軸受部をコンセントカバーに設け、軸及び軸受部の対向面をそれぞれ曲面形状としたことを特徴とし、操作ハンドルの軸とコンセントカバーの軸受部とが面接触しているので、操作ハンドルの揺動を安定して行わせることができるという効果がある。
【００５６】
請求項７の発明は、請求項１乃至３の何れか１つの発明において、コンセントカバーの前面に対向する化粧プレートの面にコンセントカバー側に突出する係止片を突設すると共に、係止片に対応するコンセントカバーの部位に係止片と係止離脱自在に係止する被係止凹部を設けたことを特徴とし、化粧プレートに設けた係止片とコンセントカバーに設けた被係止凹部とを係止離脱自在に係止させることにより、化粧プレートの着脱作業を容易に行えるという効果がある。
【００５７】
請求項８の発明は、請求項１乃至３の何れか１つの発明において、複数の刃受ばね体の内、少なくとも一対の刃受ばね体を、導電性材料から形成され刃受ばねを有する刃受ばね部と、導電性材料から刃受ばね部と別体に形成され接続端子に電気的に接続されると共に刃受ばね部に電気的に接続される端子部とでそれぞれ構成し、各端子部の形状を同一の形状としたことを特徴とし、複数の刃受ばね体で端子部を共用しているので、部品点数を削減できコストダウンを図ることができるという効果がある。
【００５８】
請求項９の発明は、請求項３の発明において、プラグ接続部は少なくとも一対の栓刃挿入口を有し、一対の栓刃挿入口を開閉自在に遮蔽する扉部及び少なくとも一方の栓刃挿入口を露出させる開口が設けられ前記一対の栓刃挿入口の配列方向に沿ってスライド自在に移動する扉体と、扉体を一対の栓刃挿入口を遮蔽する方向に付勢する付勢手段とをコンセントカバー及びボディの内部に収納し、扉部によって一対の栓刃挿入口が遮蔽される位置に扉体が移動した状態で、各栓刃挿入口に臨む扉体の部位に付勢手段による付勢方向と反対方向に行くに従って栓刃挿入口側への突出量が大きくなるように傾斜する傾斜面を設けると共に、ボディと対向する扉体の面における各栓刃挿入口の中間位置にボディ側に突出する突起を設けたことを特徴とし、栓刃が接続されていない状態では、扉体は付勢手段の付勢力によって扉部が一対の栓刃挿入口を遮蔽する位置まで移動するので、感電などの事故が発生するのを防止できるという効果がある。また、一対の栓刃挿入口の内の一方のみに栓刃を挿入しようとすると、栓刃によって扉体の傾斜面が押圧され、扉体が突起を支点として傾斜するので、扉体に設けた規制リブとコンセントカバーの凹所とが係止して扉体が移動するのを防止して、誤接続を防ぐことができ、且つ、一対の栓刃挿入口に栓刃を挿入すると、一対の栓刃によって扉体の傾斜面が均等に押圧されるから、扉体が突起を支点にして傾斜することはなく、扉体が付勢手段の付勢力に抗して一対の栓刃挿入口を露出させる位置に移動するので、開口を介して栓刃挿入口に栓刃を接続できるという効果もある。
【００５９】
請求項１０の発明は、請求項１又は５の発明において、直列接続されたパイロットランプ及び抵抗の直列回路からなる点灯表示部を有し、複数の刃受ばね体の内、電源側の一対の刃受ばね体に、前記点灯表示部の両端のリードがかしめ固定される二股のかしめ片をそれぞれ突設したことを特徴とし、二股のかしめ片に点灯表示部の両端のリードを差し込んで、かしめ片をかしめることにより、一対の刃受ばね体の間に点灯表示部を電気的に接続することができ、接点機構の接点状態に応じてパイロットランプが点灯又は消灯するから、点灯表示部の点灯状態に応じて接点機構の接点状態を容易に判別できるという効果がある。
【図面の簡単な説明】
【図１】  基本構成１のコンセント装置の分解斜視図である。
【図２】  同上に用いる刃受ばね体の分解斜視図である。
【図３】  同上のコンセントカバーと化粧プレートとの係止状態を説明する要部拡大断面図である。
【図４】  同上に用いる接続端子の斜視図である。
【図５】  同上に用いる別の化粧プレートを示し、（ａ）は外観斜視図、（ｂ）は分解斜視図である。
【図６】  同上の別のコンセント装置を示す分解斜視図である。
【図７】  基本構成２のコンセント装置の分解斜視図である。
【図８】  同上のコンセント装置を示し、（ａ）は栓刃が接続されていない状態の断面図、（ｂ）は栓刃が接続されている状態を説明する説明図、（ｃ）は栓刃が接続されている状態の断面図である。
【図９】  （ａ）（ｂ）は同上のコンセント装置の断面図である。
【図１０】  本発明の一実施形態のコンセント装置の分解斜視図である。
【図１１】  同上のコンセントカバーの要部断面図である。
【図１２】  同上のコンセントカバーの正面図である。
【図１３】  同上の操作ハンドルを示す外観斜視図である。
【図１４】  同上の操作ハンドルの取付状態を示し、（ａ）は要部断面図、（ｂ）は要部拡大図である。
【図１５】  同上の点灯表示部を示す要部分解斜視図である。
【図１６】  同上の別のコンセント装置の分解斜視図である。
【図１７】  同上のまた別のコンセント装置の分解斜視図である。
【図１８】  従来のコンセントの使用状態を説明する説明図である。
【符号の説明】
Ａ  コンセント装置
１  器体
２  ボディ
３  コンセントカバー
４  化粧プレート
５ａ〜５ｃ  刃受ばね体
６  接続端子
３１  突台部
３５ａ〜３５ｃ  栓刃挿入口
４３  窓孔
【図１】
0003675275.tif 000002
【図２】
0003675275.tif 000003
【図３】
0003675275.tif 000004
【図４】
0003675275.tif 000005
【図５】
0003675275.tif 000006
【図６】
0003675275.tif 000007
【図７】
0003675275.tif 000008
【図８】
0003675275.tif 000009
【図９】
0003675275.tif 000010
【図１０】
0003675275.tif 000011
【図１１】
0003675275.tif 000012
【図１２】
0003675275.tif 000013
【図１３】
0003675275.tif 000014
【図１４】
0003675275.tif 000015
【図１５】
0003675275.tif 000016
【図１６】
0003675275.tif 000017
【図１７】
0003675275.tif 000018
【図１８】
0003675275.tif 000019